(57)【特許請求の範囲】
【請求項１】
液状薬剤を収容した容器体と、該容器体の上部に設けられ前記液状薬剤を吸収して揮散する揮散体とを備え、該揮散体及び前記容器体間に当該容器体の開口部を閉鎖する仕切部が引き抜き可能に設けられた揮散装置において、
板状に形成された前記揮散体に、前記液状薬剤を揮散する揮散部と、該揮散部に前記液状薬剤を吸い上げる吸上部とを一体的に設け、
該吸上部を交互に折り返された折返し形状に形成し、前記仕切部引き抜き前に前記仕切部の上部で前記吸上部が折り畳まれた折畳状態を形成可能に構成する一方、前記仕切部引き抜き後に前記吸上部が前記容器体内へ向けて展開された展開状態を形成可能に構成したことを特徴とする揮散装置。
【発明の詳細な説明】
【技術分野】
【０００１】
本発明は、液状薬剤を揮散する揮散装置に関する。
【背景技術】
【０００２】
従来、芳香剤などの液状薬剤を揮散する装置としては揮散装置が知られている（例えば、特許文献１参照。）。
【０００３】
この揮散装置では、液状薬剤を収容した容器を備えており、該容器の口部は栓部材で閉鎖されている。該栓部材は、押圧部材で押圧できるように構成されており、該押圧部材で前記栓部材を押圧することで、当該栓部材を前記容器内に落下させ、前記口部を開口できるように構成されている。
【０００４】
前記押圧部材には揮散体が設けられており、該揮散体には、吸上芯が接続されている。これにより、前記栓部材を前記容器内に落下させた状態で、前記吸上芯を前記容器内へ落下させるように構成されており、該吸上芯で吸い上げられた前記液状薬剤を前記揮散体で揮散できるように構成されている。
【先行技術文献】
【特許文献】
【０００５】
【特許文献１】特開平１１−１６９４５０号公報
【発明の概要】
【発明が解決しようとする課題】
【０００６】
しかしながら、このような従来の揮散装置にあっては、口部より落下した栓部材が容器内に残存することとなる。
【０００７】
このため、前記容器体が透明性を有する場合には、見栄えが悪化するとともに、容器内で栓部材が移動することから、該栓部材が容器にぶつかり打音が発生し得る。
【０００８】
本発明は、このような従来の課題に鑑みてなされたものであり、使用時での不具合を防止することができる揮散装置を提供することを目的とするものである。
【課題を解決するための手段】
【０００９】
前記課題を解決するために本発明の揮散装置にあっては、液状薬剤を収容した容器体と、該容器体の上部に設けられ前記液状薬剤を吸収して揮散する揮散体とを備え、該揮散体及び前記容器体間に当該容器体の開口部を閉鎖する仕切部が引き抜き可能に設けられた揮散装置において、板状に形成された前記揮散体に、前記液状薬剤を揮散する揮散部と、該揮散部に前記液状薬剤を吸い上げる吸上部とを一体的に設け、該吸上部を交互に折り返された折返し形状に形成し、前記仕切部引き抜き前に前記仕切部の上部で前記吸上部が折り畳まれた折畳状態を形成可能に構成する一方、前記仕切部引き抜き後に前記吸上部が前記容器体内へ向けて展開された展開状態を形成可能に構成した。
【００１０】
すなわち、容器体の開口部は、仕切部によって閉鎖されており、搬送時等での液状薬剤の不用意な漏れが防止される。
【００１１】
このとき、この仕切部は、引き抜き可能に設けられており、当該揮散装置を使用する際には、当該仕切部が引き抜かれ、取り除かれる。すると、前記容器体上部の揮散体に設けられた吸上部が前記容器体内に延出し、当該容器体内の前記液状薬剤を前記揮散体に吸い上げる。これにより、前記液状薬剤は、前記揮散体より揮散される。
【００１４】
また、前記揮散部及び前記吸上部は、板形状の部材によって一体形成されており、前記揮散部と前記吸上部とが別体で構成された場合と比較して、構成の簡素化が図られる。
【００１５】
また、前記揮散部と前記吸上部との間に接続部分が存在されず、前記液状薬剤の流通が促進される。
【００１７】
さらに、前記揮散体の吸上部は、交互に折り返された折返し形状に形成されており、前記仕切部が引き抜かれる前の使用前では、前記仕切部の上部において、前記吸上部が折り畳まれた折畳状態を形成することで、コンパクト化が図られる。
【００１８】
この状態において、前記仕切部が引き抜かれると、折畳状態の前記吸上部には、その復元力によって伸長方向へ力が作用する。すると、この仕切部は、前記容器体内へ向けて展開した展開状態となり、前記容器体内の液状薬剤が当該吸上部によって吸い上げられる。
【発明の効果】
【００１９】
以上説明したように本発明の揮散装置にあっては、容器体の開口部を閉鎖した仕切部を引き抜いて取り除くことにより、前記容器体上部の揮散体に設けられた吸上部を前記容器体内に延出し、当該容器体内の前記液状薬剤を前記吸上部で前記揮散体に吸い上げて揮散することができる。
【００２０】
このため、容器の口部を閉鎖した栓部材を押圧部材で押圧して容器内に落下させる構造上、容器内に残存した栓部材が透けて見えたり、該栓部材が容器にぶつかって打音を発生するといった不具合を解消することができる。
【００２１】
したがって、使用時に生じ得る不具合の発生を防止することができる。
【００２３】
また、前記揮散部及び前記吸上部が板形状の部材によって一体形成されるため、前記揮散部と前記吸上部とが別体で構成された場合と比較して、構成の簡素化を図ることができる。
【００２４】
また、前記揮散部と前記吸上部との間に接続部分が存在しないため、前記液状薬剤の流通を促進することができる。また、接続不良による目詰まりや、液状薬剤の吸上不足に起因した不具合を確実に防止することができる。
【００２５】
さらに、部材の製造コストや管理コストを抑えることもできる。
【００２６】
さらに、前記揮散体の吸上部は交互に折り返された折返し形状に形成されており、前記仕切部が引き抜かれる前の使用前では、前記仕切部の上部において、前記吸上部が折り畳まれた折畳状態を形成することで、所定の長さを要する前記吸上部をコンパクトに保持することができる。
【００２７】
この状態において、前記仕切部が引き抜かれると、折畳状態の前記吸上部には、その復元力によって伸長方向へ力が働く。この復元力を利用することで、板状に形成された吸上部を、前記容器体内へ向けて展開し容器体の底部へ向けて延出することができる。
【００２８】
このため、前記吸上部を容器体の底部まで延出する為に、吸上部の先端に錘を設ける場合と比較して、構成の簡素化を図ることができるとともに、低コスト化を実現することができる。
【図面の簡単な説明】
【００２９】
【図１】本発明の実施の形態を示す説明図である。
【図２】同実施の形態の容器体を示す説明図である。
【図３】同実施の形態の使用状態を示す説明図である。
【発明を実施するための形態】
【００３０】
以下、本発明の一実施の形態を図に従って説明する。
【００３１】
図１は、本実施の形態にかかる揮散装置１を示す図であり、該揮散装置１は、液状薬剤２を揮散する装置である。
【００３２】
この液状薬剤２としては、芳香剤、消臭剤、防虫剤、殺虫剤、忌避剤等が挙げられ、本実施の形態では、前記液状薬剤２が芳香剤で構成された場合を例に挙げて説明する。
【００３３】
この揮散装置１は、内側を構成する内側構成部１１と、外側を構成する外側構成部１２（図中破線で図示）とによって構成されている。
【００３４】
該外側構成部１２は、矩形容器状に形成された紙箱２１によって構成されており、前記内側構成部１１を、当該紙箱２１内に収容した状態で隠蔽できるように構成されている。該紙箱２１の上部開口部は、天板２２によって閉鎖されており、該天板２２には、複数の長穴が並設されている（図示省略）。これらの長穴によって当該紙箱２１には、揮散した液状薬剤を放出する放出部が形成されており、当該紙箱２１の側面には、引き抜き穴２３が開設されている。
【００３５】
前記内側構成部１１は、前記液状薬剤２が収容された容器体３１と、該容器体３１を包囲するトレイ３２とを備えている。該トレイ３２は、プレス成形されたフィルム状部材によって形成されており、当該フィルム状部材は、プラスチック素材で形成されている。
【００３６】
このトレイ３２は、前記容器体３１の図中奥側の一側面側を覆う第一側面部４１と、前記容器体３１の図中手前側の他側面を覆う第二側面部と、前記第一側面部４１の下縁と前記第二側面部の下縁とを連設する底面部４２とによって構成されており（図中では第二側面部省略）、該底面部４２に対して前記両側面部４１を側方へ傾倒することで当該底面部４２上を開放して前記容器体３１を配置できるように構成されている。
【００３７】
なお、図中では、説明の都合上、前記第二側面部を省略した状態を示しているが、該第二側面部は、前記第一側面部４１と対称形状に形成されている。
【００３８】
前記底面部４２の中央部には、上方へ向けて膨出形成された矩形状の台座部５１が形成されており、当該台座部５１上の前記容器体３１を載置できるように構成されている。
【００３９】
前記第一側面部４１は、前記容器体３１を保持するための容器体用凹部６１が形成されており、その前部には（図中左方）、内側へ向けて膨出形成された前壁部６２が形成されている。また、前記容器体用凹部６１の後部には（図中右方）、内側へ向けて膨出形成された後壁部６３が形成されており、前記容器体用凹部６１に収容された容器体３１を前記前壁部６２と前記後壁部６３とによって保持できるように構成されている。
【００４０】
前記前壁部６２及び前記後壁部６３の上部には、所定の間隔をおいて内側に膨出形成された段部７１が形成されており、該段部７１は、前記容器体用凹部６１より内側に突出した段差面を形成している。前記後壁部６３及び前記前壁部６２の上部には、前後に開口したスリット７２が形成されており、該スリット７２は、前記段部７１による段差面の内側に形成されている。
【００４１】
前記後壁部６３の上部には、前記スリット７２を介して、矩形状の後部下方矩形部８１が前記段部７１より内側へ向けて膨出形成されており、該後部下方矩形部８１の上部には、当該後部下方矩形部８１より小さな矩形状の小矩形部８２が前記段部７１より内側に向けて膨出形成されている。
【００４２】
該小矩形部８２の前方側には、矩形状の折返し部９１が前記段部７１より内側へ向けて膨出形成されており、該折返し部９１の下面は、前記小矩形部８２の下面と同高さに設定され、その上面は前記小矩形部８２の上面より高位置に設定されている。
【００４３】
前記小矩形部８２の上部には、該小矩形部８２より大きな後部上方矩形部１０１が前記段部７１より内側へ向けて膨出形成されており、前記後部上方矩形部１０１と前記小矩形部８２間、及び該小矩形部８２と前記後部下方矩形部８１間には、後方へ向けて開口した間隙１０２，１０２が形成されている。
【００４４】
前記前壁部６２の上部には、前記スリット７２を介して、直角三角形状の三角部１１１が前記段部７１より内側へ向けて膨出形成されており、該三角部１１１の上部には、略矩形状の係止部１１２が前記段部７１より内側へ向けて膨出形成されている。該係止部１１２は、前記折返し部９１より低位置に設けられており、当該係止部１１２の上面には、上方へ向けて延出した支え部１１３が前記段部７１より内側へ向けて膨出形成されている。前記係止部１１２の前方上部には、細長の差込部１１４が凹設されており、該差込部１１４は、前記係止部１１２の上面より当該係止部１１２の中途部まで延出している。
【００４５】
この係止部１１２の上部には、前部上方矩形部１２１が前記段部７１より内側へ向けて膨出形成されており、前記前部上方矩形部１２１と前記係止部１１２間には、前方へ向けて開口した間隙１２２が形成されているとともに、当該前部上方矩形部１２１と前記後部上方矩形部１０１との間にも間隙１２３が形成されている。
【００４６】
前記第二側面部は、この第一側面部４１と対称形状に形成されており、両側面部４１を対面させた状態で、両側面部４１の前記容器体用凹部６１間に前記容器体３１を保持できるように構成されている。
【００４７】
このトレイ３２の上部には、前記液状薬剤２を吸収して揮散する揮散体１３１が収容されており、該揮散体１３１は、板状に形成された濾紙によって構成されている。この揮散体１３１には、幅方向に延在する切れ目が複数箇所に設定されており、各切れ目によって折曲可能な折曲部が構成されている。
【００４８】
具体的に説明すると、前記揮散体１３１の先端部には、第一折曲部１４１が設定されており、当該第一折曲部１４１から先端までの第一領域１４２は、下側に折曲された状態で、前記係止部１１２の前記差込部１１４に差し込まれ係止されている。この第一折曲部１４１より基端側の第二領域１４３は、前記後方へ向けて延設されており、前記係止部１１２の前記支え部及１１３び前記折返し部９１の上面に支持されている。
【００４９】
前記第一折曲部１４１より基端側には、第二折曲部１５１が設定されており、該第二折曲部１５１は、前記折返し部９１の後縁と合致する位置に設けられている。この第二折曲部１５１より基端側の第三領域１５２は、前記折返し部９１及び前記小矩形部８２間を介して下方へ延出している。前記第二折曲部１５１の基端側には、第三折曲部１５３が設定されており、前記第二折曲部１５１から前記第三折曲部１５３間に設けられた前記第三領域１５２は、前記第二折曲部１５１側の端部が前記後部下方矩形部１０１の下面に当接するとともに、前記第三折曲部１５３側の端部が前記後部下方矩形部８１の上面に当接した状態で、前記折返し部９１及び前記小矩形部８２間に保持されている。
【００５０】
前記第三折曲部１５３より基端側の第四領域１６１は、前方へ向けて延出されており、その基端側に設定された第四折曲部１６２は、前記係止部１１２下面と前記三角部１１１の斜面との角部にて折り返されている。この第四折曲部１６２より基端側の第五領域１６３は、後方下側へ向けて延出しており、前記第四折曲部１６２より基端側に設けられた第五折曲部１６４は、前記後部下方矩形部８１の前面と前記容器体３１の天面との角部分で折曲されている。
【００５１】
前記第五折曲部１６４より基端側の第六領域１７１は、前部上方へ向けて延出しており、前記第五折曲部１６４より基端側に設定された第六折曲部１７２より基端側の第七領域１７３先端は、前記係止部１１２下面と前記三角部１１１の斜面との角部に達するように設定されている。
【００５２】
これにより、前記第六領域１７１と前記第七領域１７３とは、直線状に配置されているが、当該揮散体１３１は、前記第六折曲部１７２において折曲可能に構成されている。
【００５３】
このように、前記揮散体１３１は、交互に折り返された返し形状に形成されており、この折り畳まれた折畳状態１８１において、前記第四領域１６１から前記第七領域１７３が前記三角部１１１と前記後部下方矩形部８１と前記容器体３１との間に保持されている。
【００５４】
また、この保持状態では、当該トレイ３２の前記第一側面部４１の前記段部７１と前記第二側面部の段部との間に保持されており、当該揮散体１３１が前記容器体３１の中央部に配置されるように構成されている。
【００５５】
この容器体３１は、図２にも示すように、矩形容器状に形成されており、当該容器体３１の上部開口部２０１の開口縁部には、側方に延出したフランジ部２０２が形成されている。
【００５６】
この容器体３１には、仕切部としてのアルミ状のシート２１１が設けられており、該シート２１１によって前記上部開口部２０１が開放可能に閉鎖されている。
【００５７】
このシート２１１は、前記フランジ部２０２に剥離可能に溶着されたシート本体２２１と、該シート本体２２１の一縁より折り返された折返し部２２２とによって構成されており、前記シート本体２２１が前記上部開口部２０１を閉鎖するように構成されている。
【００５８】
前記折返し部２２２は、前記シート本体２２１上に折り返されるように構成されており、この折返し部２２２は、前記シート本体２２１より幅狭の細長に形成されている。該折返し部２２２の先端部は、前記フランジ部２０２の端部より延出する長さ寸法に設定されており、この延出部分は、前記トレイ３２の側面に開口した前記スリット７２及び前記紙箱１２に形成された引き抜き穴２３を介して、外部に延出するように構成されている。
【００５９】
これにより、当該揮散装置１を使用する際には、図１にも示したように、前記紙箱２１の前記引き抜き穴２３より延出した前記シート２１１の前記折返し部２２２を引っ張ることで、前記フランジ部２０２に溶着された前記シート本体２２１を折返し部分側から全域に渡って剥離できるように構成されており、剥離されたシート２１１を前記紙箱２１の前記引き抜き穴２３から引き抜けるように構成されている。
【００６０】
このとき、前記トレイ３２の前記三角部１１１と前記後部下方矩形部８１間に配置された状態で前記容器体３１の前記シート２１１によって下方から支持された折畳状態１８１の前記揮散体１３１の前記第四領域１６１から前記第七領域１７３は、図３に示すように、前記シート２１１が剥離された前記上部開口部２０１を介して、前記容器体３１内へ向けて展開するように構成されており、この展開状態３０１において、前記第七領域１７３の端部が前記容器体３１の底面に達することで、当該容器体３１内の前記液状薬剤２を前記第七領域１７３から前記第五領域１６３を介して、前記第四領域１６１から第一領域１４２まで吸い上げられるように構成されている。
【００６１】
これにより、前記揮散体１３１の一端側を構成する前記第一領域１４２から第四領域１６１は、吸い上げられた液状薬剤２を揮散する揮散部３１１を構成するとともに、当該揮散部３１１以外の前記第五領域１６３から前記第七領域１７３は、前記液状薬剤２を吸い上げる吸上部３１２を構成するように設定されている。
【００６２】
なお、前記揮散部３１１及び前記吸上部３１２は、前記液状薬剤２の状態により変化するものであり、厳密には、前記液状薬剤２より露出した部分からは前記液状薬剤２が揮散するため、前記揮散部３１１を構成することととなる。
【００６３】
以上の構成にかかる本実施において、液状薬剤２を収容した容器体３１の上部開口部２０１は、仕切部を構成するシート２１１によって閉鎖されており、搬送時等での前記液状薬剤２の不用意な漏れを防止することができる。
【００６４】
このとき、このシート２１１は、引き抜き穴２３から引き抜き可能に設けられており、当該揮散装置１を使用する際には、当該シート２１１を引き抜いて取り除くことで、前記上部開口部２０１を開放することができる。
【００６５】
すると、前記容器体３１の上部に配置された揮散体１３１の吸上部３１２が前記容器体３１内に延出し、当該容器体３１内の前記液状薬剤２を前記揮散体１３１の揮散部３１１に吸い上げる。これにより、前記液状薬剤２の前記揮散部３１１からの揮散を開始することができる。
【００６６】
このため、容器の口部を閉鎖した栓部材を押圧部材で押圧して容器内に落下させる構造上、容器内に残存した栓部材が透けて見えたり、該栓部材が容器にぶつかって打音を発生するといった不具合を解消することができる。
【００６７】
したがって、使用時に生じ得る不具合の発生を防止することができる。
【００６８】
そして、前記揮散体１３１は、板形状に形成されており、その一端側が前記液状薬剤２を揮散する前記揮散部３１１を構成する。また、当該揮散部３１１以外の部分は、前記液状薬剤２を前記揮散部３１１へ吸い上げる前記吸上部３１２を構成している。
【００６９】
このように、前記揮散部３１１と前記吸上部３１２とが板形状の部材によって一体形成されるため、前記揮散部３１１と前記吸上部３１２とが別体で構成された場合と比較して、構成の簡素化を図ることができる。
【００７０】
また、前記揮散部３１１と前記吸上部３１２との間に接続部分が存在されず、前記液状薬剤２の流通を促進することができる。このため、接続不良による目詰まりや、液状薬剤２の吸上不足に起因した不具合を確実に防止することができる。
【００７１】
さらに、部材の製造コストや管理コストを抑えることもできる。
【００７２】
さらに、前記揮散体１３１の前記吸上部３１２は交互に折り返された折返し形状に形成されており、前記シート２１１が引き抜かれる前の使用前では、当該シート２１１の上部において、前記吸上部３１２が折り畳まれた折畳状態１８１を形成することで、所定の長さを要する前記吸上部３１２をコンパクトに保持することができる。
【００７３】
この状態において、前記シート２１１が引き抜かれると、前記折畳状態１８１の前記吸上部３１２には、その復元力によって伸長方向へ力が働く。この復元力を利用することで、板状に形成された前記吸上部３１２を前記容器体３１内へ向けて展開し当該容器体３１の底部へ向けて延出することができる。
【００７４】
このため、前記吸上部３１２を容器体３１の底部まで延出する為に、吸上部３１２の先端に錘を設ける場合と比較して、構成の簡素化を図ることができるとともに、低コスト化を実現することができる。
【符号の説明】
【００７５】
１    揮散装置
２    液状薬剤
３１    容器体
１３１    揮散体
１８１    折畳状態
２０１    上部開口部
２１１    シート
３０１    展開状態
３１１    揮散部
３１２    吸上部
【図１】
0005918989.tif 000002
【図２】
0005918989.tif 000003
【図３】
0005918989.tif 000004